(57)【特許請求の範囲】
【請求項１】
ＢＳ又は地上波のデジタル放送受信機を接続するテレビジョン受像機において、
前記デジタル放送受信機は、映像素材が輝度と色に合成された形式のコンポジット信号出力と映像素材が輝度と色に分離された形式のコンポーネント信号出力を有し、さらに、Ｄ端子制御信号出力を有し、
前記コンポーネント信号出力からの第１のコンポーネント信号と、前記コンポジット信号出力を３次元ＹＣ分離し且つクロマデコードして得られた第２のコンポーネント信号を、切り換えて出力する切換回路を有し、
前記第１のコンポーネント信号が標準テレビジョン信号かハイビジョンテレビジョン信号かの判別をするための周波数判別回路を有し、
前記周波数判別回路により、標準テレビジョン信号と判別すると前記切換回路を前記第２のコンポーネント信号を切換選択し、ハイビジョンテレビジョン信号と判別すると前記切換回路を前記第１のコンポーネント信号を切換選択して、コンポジット映像素材の画質を改善し、
さらに、ハイビジョンカメラで撮影した映像素材の標準テレビジョン信号の場合に、前記Ｄ端子制御信号のアスペクト情報に基づいて前記第１のコンポーネント信号を切換選択する
ことを特徴とする映像信号処理回路。
【請求項２】
請求項１に記載の映像信号処理回路において、
前記デジタル放送受信機のコンポジット信号出力に映像信号の有無を判別する信号有無判別回路を有し、
前記信号有無判別回路による信号無しの場合、前記第１のコンポーネント信号を切換選択して、前記デジタル放送受信機の種別に関係なく常に映像が出力される
ことを特徴とする映像信号処理回路。
【請求項３】
請求項２に記載の映像信号処理回路において、
前記切換回路の出力側に、ノイズリダクション回路とコアリング回路を設け、標準テレビジョン信号かハイビジョンテレビジョン信号かの判別に基づいて前記ノイズリダクション回路とコアリング回路の設定データの変更を行うことにより、さらにコンポジット映像素材の画質を改善する
ことを特徴とする映像信号処理回路。
【請求項４】
ＢＳ又は地上波のデジタル放送受信機を接続するテレビジョン受像機において、
前記デジタル放送受信機は、映像素材が輝度と色に合成された形式のコンポジット信号出力と映像素材が輝度と色に分離された形式のコンポーネント信号出力を有し、
前記コンポーネント信号出力からの第１のコンポーネント信号と、前記コンポジット信号出力を３次元ＹＣ分離し且つクロマデコードして得られた第２のコンポーネント信号を、切り換えて出力する切換回路を有し、
前記第１のコンポーネント信号が標準テレビジョン信号かハイビジョンテレビジョン信号かの判別をするための周波数判別回路を有し、
前記周波数判別回路により、標準テレビジョン信号と判別すると前記切換回路を前記第２のコンポーネント信号を切換選択し、ハイビジョンテレビジョン信号と判別すると前記切換回路を前記第１のコンポーネント信号を切換選択して、コンポジット映像素材の画質を改善し、
前記デジタル放送受信機のコンポジット信号出力に映像信号の有無を判別する信号有無判別回路を有し、
前記信号有無判別回路による信号無しの場合、前記第１のコンポーネント信号を切換選択して、前記デジタル放送受信機の種別に関係なく常に映像が出力され、
前記切換回路の出力側に、ノイズリダクション回路とコアリング回路を設け、標準テレビジョン信号かハイビジョンテレビジョン信号かの判別に基づいて前記ノイズリダクション回路とコアリング回路の設定データの変更を行うことにより、さらにコンポジット映像素材の画質を改善する
ことを特徴とする映像信号処理回路。
【請求項５】
請求項３または４に記載の映像信号処理回路において、
前記デジタル放送受信機は、放送局側で使用される映像素材がコンポーネント信号であるかコンポジット信号であるかを直接判別する映像素材判別ＩＤ信号出力を有し、
前記映像素材判別ＩＤ信号が、コンポーネント信号である場合に前記切換回路を前記第１のコンポーネント信号に切換選択し、コンポジット信号である場合に前記切換回路を前記第２のコンポーネント信号に切換選択し、及び／又は前記ノイズリダクション回路とコアリング回路の設定データの変更を行う
ことを特徴とする映像信号処理回路。
【請求項６】
請求項１乃至５のいずれか１つの請求項に記載の映像信号処理回路において、
前記デジタル放送受信機を接続するテレビジョン受像機に代えて、デジタル放送受信回路を内蔵するテレビジョン受像機とし、且つデジタル放送受信機に代えてデジタル放送受信回路とすることを特徴とする映像信号処理回路。
【発明の詳細な説明】
【０００１】
【発明の属する技術分野】
ＢＳ、地上波等のデジタル放送受信機（以下、デジタルチューナと称する）を接続するテレビジョン受像機又はデジタル放送受信回路を内臓するテレビジョン受像機、及びデジタル放送受信機に関し、特に、コンポジット映像素材の画質改善技術に関する。
【０００２】
【従来の技術】
デジタル放送の従来技術について、放送局側とテレビ受像機側の映像素材（コンポーネント素材、コンポジット素材）に関する送信方式と受信方式を図８及び図９に示す。現在のデジタル放送は、図８に示すように放送局側では、コンポジット信号２０１（映像素材が輝度と色に合成された形式）とコンポーネント信号（映像素材が輝度と色に分離された形式）２０６の２種類の映像素材がある。コンポーネント信号２０６は、切換回路２０４を介しＭＰＥＧ２エンコーダ２０５でエンコードし、ｍｏｄ２１０で変調し送信する。
【０００３】
一方、コンポジット信号２０１は、Ｙ／Ｃ分離２０２及びクロマデコーダ２０３を通りコンポーネント信号に変換して、切換回路２０４を介しＭＰＥＧ２エンコーダ２０５でエンコードし、ｍｏｄ２１０で変調し送信する。
【０００４】
送信された信号は、映像素材と関係なく図９（テレビ受像機側）に示すように、デジタルチューナ１０１でコンポーネント信号１０３にデコードし、テレビ受像機の入力回路１０４に接続しバックエンドプロセッサＢＥＰ１１１により映像処理を行ってＣＲＴ出力１１２で映像表示される。
【０００５】
また、上述した従来技術に近い技術として、特開昭６３−８４３３１号公報「デジタル多重変換装置のリモートループバック」、特開平３−２４０３６９号公報「画像通信技術」、特開平６−２８４３９２号公報「映像信号送受信装置」などが挙げられる。
【０００６】
【発明が解決しようとする課題】
ＢＳデジタル放送では、走査線数５２５本の標準テレビジョン信号（ＳＤＴＶ）と走査線数７２０本又は１１２５本のハイビジョンテレビジョン信号（ＨＤＴＶ）が送信されている。ＨＤＴＶでは全てコンポーネント形式の信号であり、ＳＤＴＶではコンポーネント信号とコンポジット信号の２つの映像素材がある。
【０００７】
そして、ＳＤＴＶの場合、従来技術では映像素材（コンポーネント素材、コンポジット素材）の種類と関係なくコンポーネント信号としてテレビ受像機に映し出される。放送局側で扱われる映像素材は、ＢＳデジタル放送の開始によりコンポーネント信号に替わりつつあるが、現状では、利便性等によりコンポジット信号が多く使用されている。
【０００８】
放送局側でもコンポジット映像素材の場合は、ＹＣ分離回路等を改善し、コンポーネント信号に変換してからＭＰＥＧエンコードし送信しているが、デジタル受信機を介して映像を受像したコンポーネント映像には、前記ＹＣ分離回路等の性能の不十分さから、クロスカラー、ドット妨害等が多く見られる。
【０００９】
本発明は、受像機側でＳＤＴＶであるかＨＤＴＶであるかの判別を行い、ＳＤＴＶの場合にコンポーネント形式信号をコンポジット形式信号に変換し高性能のＹＣ分離を用いてコンポジット映像素材の画質改善を図ることにある。
【００１０】
【課題を解決するための手段】
前記課題を解決するために、本発明は主として次のような構成を採用する。
ＢＳ又は地上波のデジタル放送受信機を接続するテレビジョン受像機において、
前記デジタル放送受信機は、映像素材が輝度と色に合成された形式のコンポジット信号出力と映像素材が輝度と色に分離された形式のコンポーネント信号出力を有し、さらに、Ｄ端子制御信号出力を有し、
前記コンポーネント信号出力からの第１のコンポーネント信号と、前記コンポジット信号出力を３次元ＹＣ分離し且つクロマデコードして得られた第２のコンポーネント信号を、切り換えて出力する切換回路を有し、
前記第１のコンポーネント信号が標準テレビジョン信号かハイビジョンテレビジョン信号かの判別をするための周波数判別回路を有し、
前記周波数判別回路により、標準テレビジョン信号と判別すると前記切換回路を前記第２のコンポーネント信号を切換選択し、ハイビジョンテレビジョン信号と判別すると前記切換回路を前記第１のコンポーネント信号を切換選択して、コンポジット映像素材の画質を改善し、
さらに、ハイビジョンカメラで撮影した映像素材の標準テレビジョン信号の場合に、前記Ｄ端子制御信号のアスペクト情報に基づいて前記第１のコンポーネント信号を切換選択する映像信号処理回路。
【００１１】
また、前記映像信号処理回路において、前記デジタル放送受信機のコンポジット信号出力に映像信号の有無を判別する信号有無判別回路を有し、
前記信号有無判別回路による信号無しの場合、前記第１のコンポーネント信号を切換選択して、前記デジタル放送受信機の種別に関係なく常に映像が出力される映像信号処理回路。
【００１２】
また、前記映像信号処理回路において、前記切換回路の出力側に、ノイズリダクション回路とコアリング回路を設け、標準テレビジョン信号かハイビジョンテレビジョン信号かの判別に基づいて前記ノイズリダクション回路とコアリング回路の設定データの変更を行うことにより、さらにコンポジット映像素材の画質を改善する映像信号処理回路。
【００１３】
また、ＢＳ又は地上波のデジタル放送受信機を接続するテレビジョン受像機において、
前記デジタル放送受信機は、映像素材が輝度と色に合成された形式のコンポジット信号出力と映像素材が輝度と色に分離された形式のコンポーネント信号出力を有し、
前記コンポーネント信号出力からの第１のコンポーネント信号と、前記コンポジット信号出力を３次元ＹＣ分離し且つクロマデコードして得られた第２のコンポーネント信号を、切り換えて出力する切換回路を有し、
前記第１のコンポーネント信号が標準テレビジョン信号かハイビジョンテレビジョン信号かの判別をするための周波数判別回路を有し、
前記周波数判別回路により、標準テレビジョン信号と判別すると前記切換回路を前記第２のコンポーネント信号を切換選択し、ハイビジョンテレビジョン信号と判別すると前記切換回路を前記第１のコンポーネント信号を切換選択して、コンポジット映像素材の画質を改善し、
前記デジタル放送受信機のコンポジット信号出力に映像信号の有無を判別する信号有無判別回路を有し、
前記信号有無判別回路による信号無しの場合、前記第１のコンポーネント信号を切換選択して、前記デジタル放送受信機の種別に関係なく常に映像が出力され、
前記切換回路の出力側に、ノイズリダクション回路とコアリング回路を設け、標準テレビジョン信号かハイビジョンテレビジョン信号かの判別に基づいて前記ノイズリダクション回路とコアリング回路の設定データの変更を行うことにより、さらにコンポジット映像素材の画質を改善する映像信号処理回路。
【００１４】
【発明の実施の形態】
本発明の実施形態に係る、ＢＳ、地上波等のデジタル放送受信機（以下、デジタルチューナと称する）を接続するテレビジョン受像機又はデジタル放送受信回路を内臓するテレビジョン受像機の映像信号処理回路について、図１〜図７を参照しながら以下説明する。
【００１５】
まず、本発明における背景と主旨について概説する。デジタルＢＳ放送では、ＳＤＴＶ（標準テレビジョン信号：走査線数５２５本）とＨＤＴＶ（ハイビジョンテレビジョン信号：走査線数１１２５本又は７２０本）の２種類の放送が送信される。このデジタルＢＳ放送では、特にＳＤＴＶの場合、映像素材が輝度と色に分離したコンポーネント形式と、映像素材が輝度と色を合成したコンポジット形式の２種類が、番組毎に異なって用いられている。そして、この２つの形式の信号をコンポーネント形式に統一して放送している。
【００１６】
これに対して、受像機側では、従来、受信したコンポーネント形式の信号を表示装置に入力して画面上に表示していた。このような従来技術では、放送局側で輝度を色と合成したコンポジット形式の信号を用いて放送された場合、受像機側の表示装置ではクロスカラー、ドット妨害が見られて汚い画像となる（放送局側でのコンポーネント形式への統一放送に際するＹＣ分離回路等の性能不十分さを一因として）場合があった。ここで、ＨＤＴＶの場合は、全ての映像素材が輝度と色の分離したコンポーネント形式であるために、上述した汚い画像とはならない。
【００１７】
そこで、本発明では、基本的には、受像機側でＳＤＴＶとＨＤＴＶの判別を行い、ＳＤＴＶの場合には常に、映像信号が輝度と色に分離したコンポーネント形式で受信したものを映像素材が輝度と色に合成したコンポジット形式に変換し、その後、このコンポジット信号から輝度と色を性能良く分離して表示装置に表示しようとするものである。このような処理を行うことにより画像をきれいに表示することができる。
【００１８】
ここで、ＳＤＴＶであっても、ハイビジョンカメラで撮影した映像素材の場合はコンポーネント形式であるので、この場合はＳＤＴＶ信号としてのコンポジット形式への変換処理は行わずコンポーネント形式のまま表示装置に送ることになる。このような状態を判別する方法は、映像情報とともに送られてくるアスペクト情報（画面の縦横比の情報であり、ＳＤＴＶの場合には４：３と１６：９の２種類）に基づいて、１６：９であれば、コンポーネント形式のままで表示装置に送るようにしている。
【００１９】
次に、本発明の実施形態に係る具体的構成を例示して説明する。図１は本発明の第１の実施形態に係る映像信号処理回路の構成ブロック図である。本実施形態の映像信号処理回路は、ＢＳ、地上波デジタルチューナ１０１、チューナコンポジット映像信号１０２、チューナコンポーネント映像信号１０３、コンポーネント映像信号入力回路１０４、周波数判別回路１０５、マイコン１０６、コンポジット映像信号入力回路１０７、３次元ＹＣ分離回路１０８、クロマデコ一ダ１０９、コンポーネントＡとコンポーネントＢの信号切換回路１１０、ＢＥＰ（バックエンドプロセッサ）映像処理回路１１１、ＣＲＴ出力回路１１２、から構成される。
【００２０】
次に、図１に示された第１の実施形態の動作を詳細に説明する。デジタルチューナ１０１から出力されるコンポーネント信号１０３は、入力回路１０４を経て周波数判別回路１０５とコンポーネント切換回路１１０に送出される。一方、デジタルチューナ１０１から出力されるコンポジット信号１０２は、入力回路１０７を通り３次元ＹＣ分離回路１０８を介してクロマデコーダ１０９により復調してコンポーネント信号にする。このコンポーネント信号をコンポーネント切換回路１１０に送出する。ここで、コンポジット信号１０２は、デジタルチューナ１０１で、放送局から送られてきたコンポーネント信号をＮＴＳＣにエンコードしたものであり、コンポーネント信号１０３よりコンポジット信号を得ることもできる。
【００２１】
ここで、周波数判別回路１０５の詳細構造は、同期分離回路、水平周波数カウンタ、垂直周波数カウンタ、データ変換回路とからなり（不図示）、入力回路１０４からのコンポーネント信号１０３を同期分離回路で同期分離し、水平同期信号を水平周波数カウンタに送り水平周波数を測定するとともに垂直同期信号を垂直周波数カウンタに送り垂直周波数を測定して、データ変換後にマイコン１０６に送るようになっている。
【００２２】
コンポーネント信号切換回路１１０を制御するマイコン１０６は、コンポーネント信号１０３を周波数判別回路１０５及びマイコン１０６によって５２５Ｉ信号（１５ＫＨＺ）と判定したとき、即ち、受信した統一コンポーネント信号が周波数判別回路で走査線数５２５本のインターリーブ信号であると判別したとき、受信放送の種類がＨＤＴＶではなくてＳＤＴＶであって、ＳＤＴＶの場合、映像素材がコンポジット形式かコンポーネント形式かに関わらずコンポジット信号に変換され３次元ＹＣ分離回路及びクロマデコーダを介したコンポーネントＢ側の系統が形成されていて、このコンポーネントＢ側を選択するように切換回路１１０を制御する。因みに、ＳＤＴＶで映像素材の形式が何であろうと、受信した統一コンポーネント信号は、上述したコンポジット信号１０２の出力の外に、コンポーネント信号１０３としてデジタルチューナ１０１から出力されているのである。コンポーネントＡ側の系統は、受信信号がＳＤＴＶの場合に、周波数判別回路及びマイコンの制御で採用されないこととなるのである。
【００２３】
放送局側では、図８の従来例に示すように、コンポジット信号とコンポーネント信号を切換てコンポーネント信号でエンコードされる。ハイビジョン信号は、Ｄ５ＶＴＲコンポーネント信号２０６より送られエンコード送信される。一方、５２５Ｉ信号は、Ｄ３ＶＴＲコンポジット信号２０１より送られ、ＹＣ分離処理２０２され、コンポーネント信号にした後、エンコード送信される。この時のＹＣ処理部分等の性能が十分でないとクロスカラー・ドット妨害等のあるコンポーネント信号になる。
【００２４】
このような放送局側の状態を判断して、５２５Ｉ信号（１５ＫＨＺ）と判定したときコンポジット素材を含み得るＳＤＴＶと判断し、コンポーネント信号をコンポジット信号１０２変換した信号を３次元ＹＣ分離回路１０８で処理することにより、放送局側のクロスカラー・ドット妨害等を除去して、ＳＤＴＶのコンポジット素材の画質改善を行い、切換回路１１０後、ＢＥＰ（映像処理回路）１１１を介しＣＲＴ出力１１２に映し出される。本実施形態は、ＳＤＴＶにおけるコンポーネント形式の映像素材もコンポジット信号に変換した図１のコンポーネントＢ側の系統で処理した信号を採用するものである。
【００２５】
次に、図２は本発明の第２の実施形態に係る映像信号処理回路の構成ブロック図である。本実施形態の映像信号処理回路は、前述した第１の実施形態の回路構成に、Ｄ端子制御信号１２０及びＤ端子制御判別回路１２１を付け加えたものである（図２では制御信号判別回路１２１はマイコン１０６内に設けられているが、前記判別回路１２１をマイコン外に設けても良い）。
【００２６】
図２に示した第２の実施形態の動作を以下説明する。第１の実施形態と共通する回路構成についての動作については、第１の実施形態の動作と同様であるのでこれを援用する。付加した回路構成について説明すると、デジタルチューナ１０１のＤ端子制御信号１２０より、制御信号判別回路１２１を内蔵したマイコン１０６で、映像素材判別の判定条件を追加し、映像素材がコンポジット素材であるか否かの判別精度を一層アップして、コンポーネント信号切換回路１１０のシステム切換を行うことができる。
【００２７】
デジタルチューナ１０１で作成されたＤ端子制御信号１２０を、マイコン１０６で受け取り制御電圧を判定して、走査線数、走査方式及びアスペクト比等のフォーマットを判別している。Ｄ端子には、スクィーズ信号とレターＢＯＸの識別信号があるが、５２５Ｉ信号でこのような信号が送られているということは、放送局側では、ハイビジョンカメラよりダウンコンバート信号で元素材がコンポーネント信号であると判断できる。レターＢＯＸ信号は、ＤＶＤ素材等で記録元素材が同様にコンポーネント信号であると判断できる。
【００２８】
このように、ＳＤＴＶであっても、ハイビジョンカメラで撮影した映像素材の場合はコンポーネント形式であるので、第１の実施形態で述べたようなＳＤＴＶ信号としての処理は行わずに、コンポーネント形式のまま表示装置に送ることになる（コンポーネントＡ側を切換選択して）。Ｄ端子制御信号のアスペクト情報で画面縦横比が１６：９であればコンポーネントＡ側を切換選択する。したがって、映像素材がコンポジット素材であるか否かの判別精度をアップすることにより、コンポジット素材の画質改善を提供することができる。なお、制御信号判別回路をマイコンの外部に別回路して設けてもよい。また、レターＢＯＸ信号は放送局側の都合によりコンポジット素材で送られる場合があるので、スクィーズ信号のみコンポーネント素材と判定してもよい。
【００２９】
次に、図３は本発明の第３の実施形態に係る映像信号処理回路の構成ブロック図である。本実施形態の映像信号処理回路は、前述した第２の実施形態の回路構成に、入力信号判別回路１２２を付け加えたものである。
【００３０】
図３に示した第３の実施形態の動作を以下説明する。第２の実施形態と共通する回路構成についての動作については、第２の実施形態の動作と同様であるのでこれを援用する。付加した回路構成について説明すると、３次元ＹＣ分離回路１０８の前段にある入力回路１０７からコンポジット信号を取り出し、取り出した信号に基づいて入力信号判別回路１２２で映像信号の有無判定することにより、デジタルチューナ１０１のコンポジット信号１０２がデジタルチューナ１０１の種類によって出力されない場合、マイコン１０６で切換回路１１０をコンポーネントＡ側に切換ることにより、映像が出力できるようにしてデジタルチューナの種類に影響されずに対応することができる（映像の出力可能）。
【００３１】
ここで、入力信号判別回路１２２は、同期分離回路とローパスフィルタ（ＬＰＦ）からなり（不図示）、コンポジット信号を同期分離してＬＰＦでＤＣ化することにより制御電圧を作成し、例えば、同期信号有りのときＨレベルを、同期信号無しのときＬレベルをマイコン１０６に送るように構成する。
【００３２】
第３の実施形態を示す図３の回路構成では、第２の実施形態に入力信号判別回路を付加したものであるが、これに限らず第１の実施形態に入力信号判別回路を付加しても良い。
【００３３】
次に、図４は本発明の第４の実施形態に係る映像信号処理回路の構成ブロック図である。本実施形態の映像信号処理回路は、前述した第３の実施形態の回路構成に、デジタル映像処理回路（３次元ＹＮＲ（Ｙノイズリダクション）、３次元ＣＮＲ（Ｃノイズリダクション）、２次元ＹＮＲコアリング回路）１２３及び／又はＢＥＰ画質調整機能を付け加えたものである。
【００３４】
図４に示した第４の実施形態の動作を以下説明する。第３の実施形態と共通する回路構成についての動作については、第３の実施形態の動作と同様であるのでこれを援用する。付加した回路構成について説明すると、映像素材が、コンポジット素材と判別したとき、本実施形態で追加したデジタル映像処理回路（３次元ＹＮＲ、３次元ＣＮＲ、２次元ＹＮＲコアリング回路）１２３のデータを設定変更し、且つＢＥＰ１１１の画質調整を制御することにより、コンポジット素材の画質をより向上させることができる。
【００３５】
次に、図５は本発明の第５の実施形態に係る映像信号処理回路の構成ブロック図である。本実施形態の映像信号処理回路は、前述した第４の実施形態の回路構成におけるＤ端子制御信号１２０及び制御信号判別回路１２１に代えて、素材判別ＩＤ信号１３０及び素材判別ＩＤ信号判別回路１３１を設けたものである。更に、図５に示す第５の実施形態に対応して、図６に示すように放送局側に素材判別ＩＤエンコード回路２０７と、図７に示すようにデジタルチューナ側に素材判別ＩＤデコード出力回路（アドレスデコーダ）２１７と、を設ける。
【００３６】
図５に示した第５の実施形態の動作を以下説明する。第４の実施形態と共通する回路構成についての動作については、第４の実施形態の動作と同様であるのでこれを援用する。付加した回路構成について以下説明する。前述した本発明の第１実施形態及び第２実施形態では、映像素材がコンポジット信号かコンポーネント信号かを判断するのに、入力される信号に基づいた情報から判断してコンポジット信号であるとしている。第５の実施形態は、コンポジット信号かコンポーネント信号であるかについて根元的に対処するため、図６に示す放送局側に素材判別ＩＤエンコード回路２０７を設ける。即ち、図６の放送局側で素材判別ＩＤ信号２０７をＭＰＥＧ情報の１つとして、映像素材に応じてＩＤをエンコーダ２０５により映像データの付加データとして送る。
【００３７】
図７に示すデジタルチューナ側ではＴＳデコーダ２１２によりトランスポートストリームデータを各種データに再合成し、ＭＰＥＧデータはＭＰＥＧ２デコーダ２１３でデコードし、映像信号のフォーマット等（Ｄ端子制御信号）や放送局側での素材判別ＩＤ信号２０７は、アドレスデコーダ２１７でデコード及び映像データに応じて制御し、Ｄ端子制御出力１２０には現在規格されているフォーマットによって制御電圧を出力し、素材判別ＩＤ出力１３０には送られてきた素材判別ＩＤ信号をデコードして制御電圧を出力する。
【００３８】
そして、デジタルチューナからの素材判別ＩＤ信号１３０をマイコン１０６でＬ／Ｈレベルを判定しコンポジット素材かコンポーネント素材かを判定する。例えば、コンポジット素材時はＬレベルを出力し、コンポーネント素材時はＨレベルを出力して切換回路１１０、デジタル映像処理回路１２２、ＢＥＰに印加される。
【００３９】
図５に示す素材判別信号１３０に基づいて素材判別ＩＤ信号判別回路１３１とマイコン１０６で判断する回路構成が付加されることにより（図５では素材判別ＩＤ信号判別回路１３１はマイコン１０６内に設けられているが、前記判別回路１３１をマイコン外に設けても良い）、ハイビジョン信号で送られているコンポジット素材映像に対しても、切換回路１１０をコンポーネントＡ側を選択してデジタル映像処理回路（３次元ＹＮＲ、３次元ＣＮＲ、２次元ＹＮＲコアリング回路）１２２、ＢＥＰ１１１を制御することにより、ノイズを低減し画質を適切に制御することによって画質を改善することができる。
【００４０】
以上説明したように、本発明の種々の実施形態の回路構成を採用することによって、デジタル放送におけるコンポジット素材の画質を向上させることができる。現在のＢＳデジタル放送のコンポジット素材でのＳＤ放送及びコンポジット素材でのＨＤ放送などが適用例として挙げられる。
【００４１】
また、本実施形態ではデジタルチューナ（デジタル放送受信機）がテレビジョン受像機の外付けのタイプについて説明したが、デジタル放送受信回路を内蔵したテレビジョン受像機についても当然に同様の構成、効果が得られる。
【００４２】
また、本実施形態の変形例として、デジタルチューナ内において、図１〜図５に図示するような回路構成を設けることにより、切換られたコンポーネント信号として出力することによっても、同様の効果を奏することができる。
【００４３】
【発明の効果】
本発明によれば、次のような効果を得ることができる。即ち、コンポジット素材は、放送局側でコンポーネント変換され、ハイビジョンカメラ等で撮られた映像のコンポーネント信号と同様に扱われて送信されてくる。本発明では、送信されてくるコンポーネント信号の周波数を判別し、その周波数判別の結果でコンポジット素材を含むＳＤＴＶであるか、ＨＤＴＶであるかを判定して、ＳＤＴＶであると判定したときに、コンポジット信号より３次元ＹＣ分離を介した処理を行う信号側に切換えることにより、クロスカラー・ドット妨害、Ｓ／Ｎ等を改善したコンポーネント信号を得ることができ、コンポジット素材の画質改善を図ることができる。
【００４４】
また、Ｄ端子制御信号を判別手段に加えることで、コンポジット素材の判別精度を上げることにより、より確実に動作させることによりコンポジット素材の画質改善を図ることができる。
【００４５】
また、コンポジット入力回路に入力信号の有無を検出する制御信号を判別手段に加えることで、デジタルチューナの種類によりコンポーネント出力選択時にコンポジット信号出力が出力しない場合、コンポーネント側にすることで必ず映像が出力するようにして、映像が出力しない状態を回避することができる。
【００４６】
また、３次元ＹＮＲ回路、３次元ＣＮＲ回路、２次元ＮＲコアリング回路、及び画質調整回路を更に付加することによって、コンポジット素材を含むＳＤＴＶ判定により、これらの回路のデータ設定を行うことにより、コンポジット素材の画質改善を図ることができる。
【００４７】
また、放送局側で映像の素材判別ＩＤを送出し、コンポジット素材判別手段として、素材判別のＩＤ判別回路の追加することによって、コンポジット素材の判別を確実に動作させることにより、ハイビジョン信号でのコンポジット素材の場合も、各ブロックの回路を適切に制御することにより、ハイビジョン信号、ＳＤ信号でのコンポジット素材の画質改善を図ることができる。
【図面の簡単な説明】
【図１】本発明の第１の実施形態に係る映像信号処理回路の構成ブロック図である。
【図２】本発明の第２の実施形態に係る映像信号処理回路の構成ブロック図である。
【図３】本発明の第３の実施形態に係る映像信号処理回路の構成ブロック図である。
【図４】本発明の第４の実施形態に係る映像信号処理回路の構成ブロック図である。
【図５】本発明の第５の実施形態に係る映像信号処理回路の構成ブロック図である。
【図６】第５の実施形態に対応した放送局側での回路構成例を示す図である。
【図７】第５の実施形態に対応したデジタルチューナ側での回路構成例を示す図である。
【図８】従来技術における放送局側での映像信号処理回路の構成ブロック図である。
【図９】従来技術におけるデジタルチューナ側での映像信号処理回路の構成ブロック図である。
【符号の説明】
１０１  デジタルチューナ
１０２  コンポジット信号
１０３  コンポーネント信号
１０４，１０７  入力回路
１０５  周波数判別回路
１０６  マイコン
１０８  ３次元ＹＣ分離回路
１０９  クロマデコーダ
１１０  信号切換回路
１１１  ＢＥＰ（バックエンドプロセッサ）
１１２  ＣＲＴ出力回路
１２０  Ｄ端子制御信号
１２１  制御信号判別回路
１２２  入力信号判別回路
１２３  デジタル映像処理回路
１３０  素材判別ＩＤ信号
１３１  素材判別ＩＤ信号判別回路
２０７  素材判別ＩＤエンコード回路
【図１】
0003749844.tif 000002
【図２】
0003749844.tif 000003
【図３】
0003749844.tif 000004
【図４】
0003749844.tif 000005
【図５】
0003749844.tif 000006
【図６】
0003749844.tif 000007
【図７】
0003749844.tif 000008
【図８】
0003749844.tif 000009
【図９】
0003749844.tif 000010